(57)【要約】  【課題】  従来に比べて宛先データの処理速度を速くできて、登録件数が多くなった場合でも、処理時間の短縮化を図れて、ユーザの使用勝手を向上できる画像通信装置を提供する。  【解決手段】  操作部５を介して入力された宛先データの更新指示に従って、フラッシュメモリ８が記憶する宛先データを更新し、その更新後の宛先データを複写した写像宛先データを、フラッシュメモリ８に比べて書込み／読出しの処理速度が速いＳＤＲＡＭ９に記憶させる。宛先データを取得する場合には、高速処理が可能なＳＤＲＡＭ９にアクセスし、ＳＤＲＡＭ９に記憶されている写像宛先データを検索して相手先の所望の情報を取得する。【選択図】      図１
2006203349.tif 000002
【特許請求の範囲】
【請求項１】
画像データを通信するための宛先データを登録する画像通信装置において、登録された前記宛先データを格納する第１メモリと、データの書込み／読出し速度が前記第１メモリより速い第２メモリと、前記第１メモリに格納されている前記宛先データを前記第２メモリに複写する手段とを備えることを特徴とする画像通信装置。
【請求項２】
前記第２メモリに宛先データ検索用のインデックスを設ける手段を備えることを特徴とする請求項１記載の画像通信装置。
【請求項３】
前記第１メモリは不揮発性メモリであり、前記第２メモリは揮発性メモリであることを特徴とする請求項１または２記載の画像通信装置。
【発明の詳細な説明】
【技術分野】
【０００１】
本発明は、他装置との間で画像通信を行う画像通信装置に関し、特に、通信相手先の情報を宛先データとして登録可能な画像通信装置に関するものである。
【背景技術】
【０００２】
画像通信を行うファクシミリ装置，複合機などの画像通信装置にあっては、ユーザの利便性を高めるために、通信相手先毎に、その相手先の情報（相手先名，電子メールアドレス，ファクシミリ番号，電話番号など）を宛先データとして登録しておき、その宛先データを検索して相手先の情報を取得する機能を有していることが一般的である。このような画像通信装置では、重要な宛先データが消えてしまわないように、フラッシュメモリなどの不揮発性メモリに宛先データを格納している（例えば、特許文献１参照）。
【特許文献１】特開２００３−１２２６４４号公報
【発明の開示】
【発明が解決しようとする課題】
【０００３】
しかしながら、フラッシュメモリはデータの書込み／読出しの処理速度が通常のＲＡＭ（Random Access Memory）に比べて遅いので、従来の画像通信装置では、宛先データの登録件数が多くなった場合に、宛先データの登録，編集，削除，一覧表示などの処理に長時間を要することになるため、使用勝手が悪くてユーザが不快感をおぼえるという問題がある。
【０００４】
本発明は斯かる事情に鑑みてなされたものであり、従来に比べて宛先データの書込み／読出しの処理速度を速くできて、その登録件数が多くなった場合でも、処理時間の短縮化を図れて、ユーザの使用勝手を向上できる画像通信装置を提供することを目的とする。
【課題を解決するための手段】
【０００５】
第１発明に係る画像通信装置は、画像データを通信するための宛先データを登録する画像通信装置において、登録された前記宛先データを格納する第１メモリと、データの書込み／読出し速度が前記第１メモリより速い第２メモリと、前記第１メモリに格納されている前記宛先データを前記第２メモリに複写する手段とを備えることを特徴とする。
【０００６】
第１発明の画像通信装置にあっては、第１メモリに登録して格納されている宛先データを、第１メモリより処理速度が速い第２メモリに複写して格納しておき、宛先データの参照時には第２メモリにアクセスする。よって、処理速度が速い第２メモリにアクセスするため、高速な処理を行えることになり、ユーザが不快さを感じることはない。
【０００７】
第２発明に係る画像通信装置は、第１発明において、前記第２メモリに宛先データ検索用のインデックスを設ける手段を備えることを特徴とする。
【０００８】
第２発明の画像通信装置にあっては、宛先データ検索用のインデックスを処理速度が速い第２メモリに形成する。よって、検索結果の表示要求があった場合に、検索処理を省略することができて、高速な対応を図れる。
【０００９】
第３発明に係る画像通信装置は、第１または第２発明において、前記第１メモリは不揮発性メモリであり、前記第２メモリは揮発性メモリであることを特徴とする。
【００１０】
第３発明の画像通信装置にあっては、宛先データを最初に登録する第１メモリとして不揮発性メモリを使用し、アクセス対象の第２メモリとして揮発性メモリを使用する。よって、第１メモリがバックアップとして機能するため、重要な宛先データが消えてしまうことはない。
【発明の効果】
【００１１】
本発明では、第１メモリに登録して格納されている宛先データを、第１メモリより処理速度が速い第２メモリに複写して格納しておき、宛先データの参照時に第２メモリにアクセスするようにしたので、高速な処理を行えるため、宛先データの登録件数が増加した場合にあっても、処理時間を短くすることができる。
【００１２】
また、本発明では、宛先データ検索用のインデックスを処理速度が速い第２メモリに設けるようにしたので、検索結果の表示要求があった場合に、検索処理を省略することができて、高速な対応を図ることができる。
【００１３】
また、本発明では、第１メモリとして不揮発性メモリを使用し、第２メモリとして揮発性メモリを使用するようにしたので、処理の高速化を実現できるとともに、重要な宛先データが消えてしまうことを防止することができる。
【発明を実施するための最良の形態】
【００１４】
以下、本発明をその実施の形態を示す図面を参照して具体的に説明する。図１は、本発明の画像通信装置としての複合機（ファクシミリ複合装置）２０の構成を示すブロック図である。複合機２０は、本来のファクシミリ機能，コピー機能に加えて、外部端末装置からネットワークを介して電子メールを受信する機能、及び、入力した画像データをプリントアウトするプリンタ機能を備えた機能複合型のファクシミリ装置である。
【００１５】
複合機２０は、制御部１，読取部２，記録部３，表示部４，操作部５，ＲＯＭ（Read Only Memory）６，ＲＡＭ７，フラッシュメモリ８，ＳＤＲＡＭ（Synchronous Dynamic Random Access Memory）９，画像メモリ１０，コーデック１１，モデム１２，ＮＣＵ（Network Control Unit）１３，インタフェース部１４などを備えている。
【００１６】
制御部１は、具体的にはＣＰＵで構成されており、バス１５を介して複合機２０の上述したようなハードウェア各部と接続されていて、それらを制御すると共に、ＲＯＭ６に格納された制御プログラムに従って、種々のソフトウェア的機能を実行する。また、制御部１は、後述するような動作処理を行うことにより、フラッシュメモリ８（第１メモリ）に格納されている宛先データをＳＤＲＡＭ９（第２メモリ）に複写する手段として機能するとともに、ＳＤＲＡＭ９（第２メモリ）に宛先データ検索用のインデックスを設ける手段としても機能する。
【００１７】
読取部２は、例えばＣＣＤを利用した光学系で原稿を読み取り、読み取った画像データを出力する。記録部３は、電子写真方式のプリンタ装置であって、読取部２にて読み取った原稿の画像データ、ファクシミリ通信により受信した画像データ、他の複合機などから送られてきた画像データなどに応じた画像を用紙にプリントアウトする。
【００１８】
表示部４は、液晶表示装置またはＣＲＴディスプレイなどの表示装置であり、複合機２０の動作状態を表示したり、ユーザへ操作入力を促す画面またはユーザへ宛先データの検索結果を呈示する画面を表示したりする。操作部５は、複合機２０を操作するために必要な文字キー，テンキー，短縮ダイヤルキー，ワンタッチダイヤルキー，各種のファンクションキーなどを備えている。また、操作部５は、宛先データの新規登録，編集，削除などの指示をユーザから受け付ける。なお、表示部４をタッチパネル方式とすることにより、操作部５の各種のキーの内の一部または全部を代用することも可能である。
【００１９】
ＲＯＭ６は、複合機２０の動作に必要な種々のソフトウェアの制御プログラムを格納する。ＲＡＭ７は、ソフトウェアの実行時に発生する一時的なデータを記憶する。第１メモリとしての不揮発性のフラッシュメモリ８は、登録された宛先データ（相手先の名称，ファクシミリ番号，電話番号，電子メールアドレスなど）を記憶している。第２メモリとしての揮発性のＳＤＲＡＭ９は、フラッシュメモリ８に記憶されている宛先データを複写してなる写像宛先データを記憶している。
【００２０】
画像メモリ１０は、原稿を読み取って得られる画像データ、他のファクシミリ装置などの外部装置から受信した画像データなどを記憶する。コーデック１１は、送信する画像データを所定の圧縮方式に従って圧縮したり、受信した画像データを所定の圧縮方式に従って伸長する。
【００２１】
モデム１２は、バス１５に接続されており、ファクシミリ通信が可能なファクシミリモデムから構成されている。また、モデム１２は、同様にバス１５に接続されたＮＣＵ１３と直接的に接続されている。ＮＣＵ１３は、公衆電話回線網（ＰＳＴＮ：Public Switched Telephone Network)との回線Ｌ１の閉結及び開放の動作を行うハードウェアであり、必要に応じてモデム１２をＰＳＴＮと接続する。そして、複合機２０は、ＰＳＴＮによって他のファクシミリ装置と接続されており、通常のファクシミリ通信が行えるようになっている。インタフェース部１４は、ＬＡＮ（Local Area Network），インターネットなどの通信線Ｌ２を介して他の複合機，ＰＣなどの外部装置に接続されており、外部装置との間で電子メールなどのデータのやりとりを行う。
【００２２】
図２は、本発明の特徴部分をなすフラッシュメモリ８（第１メモリ）とＳＤＲＡＭ９（第２メモリ）との関係を示す図である。フラッシュメモリ８には登録された宛先データが記憶され、それを複写した写像宛先データがＳＤＲＡＭ９に記憶されている。フラッシュメモリ８はバックアップメモリとして機能し、ＳＤＲＡＭ９はアクセスメモリとして機能する。
【００２３】
本発明の複合機２０では、操作部５を介して入力された宛先データの更新指示に従って、フラッシュメモリ８が記憶する宛先データの更新処理（新規登録，編集，削除など）を行い、その更新後の宛先データを複写した写像宛先データをＳＤＲＡＭ９に記憶させる。このように、宛先データの更新時には、フラッシュメモリ８及びＳＤＲＡＭ９の内容を同期的に更新するようにしており、フラッシュメモリ８の記憶内容とＳＤＲＡＭ９の記憶内容との整合性が保たれる。
【００２４】
そして、宛先データを取得する場合には、高速処理が可能なＳＤＲＡＭ９にアクセスし、ＳＤＲＡＭ９に記憶されている写像宛先データを検索して相手先の所望の情報（例えば、名称，ファクシミリ番号または電子メールアドレスなど）を取得する。また、ＳＤＲＡＭ９には、例えば、個人名順または会社名順などの検索パターン毎に、検索用のインデックスが設けられており、これらのインデックスを利用すれば、検索処理を省略できて、極めて高速に所望の情報（ファクシミリ番号または電子メールアドレスなど）を取得することが可能である。
【００２５】
図３は、本発明の複合機２０における宛先データの登録処理の動作手順の一例を示すフローチャートである。
【００２６】
制御部１は、新しい宛先データの登録処理に関する指示が操作部５を介して入力されたか否かを判断する（ステップＳ１）。その指示が入力されない場合（Ｓ１：ＮＯ）、指示入力の監視を続ける。登録に関する指示が入力された場合（Ｓ１：ＹＥＳ）、制御部１は、入力された宛先データをフラッシュメモリ８に登録する（ステップＳ２）。
【００２７】
次いで、制御部１は、フラッシュメモリ８に登録記憶された宛先データを複写してその写像宛先データを作成し、作成した写像宛先データをＳＤＲＡＭ９に記憶させる（ステップＳ３）。制御部１は、写像宛先データに基づいて検索用の１または複数種のインデックスを作成し、作成したインデックスをＳＤＲＡＭ９に設けて（ステップＳ４）、動作を終了する。
【図面の簡単な説明】
【００２８】
【図１】本発明の画像通信装置としての複合機の構成を示すブロック図である。
【図２】本発明におけるフラッシュメモリ（第１メモリ）とＳＤＲＡＭ（第２メモリ）との関係を示す図である。
【図３】本発明における宛先データの登録処理の動作手順の一例を示すフローチャートである。
【符号の説明】
【００２９】
１  制御部
６  ＲＯＭ
８  フラッシュメモリ（第１メモリ）
９  ＳＤＲＡＭ（第２メモリ）
２０  複合機（画像通信装置）
【図１】
2006203349.tif 000003
【図２】
2006203349.tif 000004
【図３】
2006203349.tif 000005